(57)【要約】【課題】  顔画像を好ましく再生することを目的とする。【解決手段】  画像を表示する表示部と、前記表示部に表示された前記画像の拡大表示倍率の変更を指示する指示部と、前記指示部により前記拡大表示倍率の変更が指示されると、変更された前記拡大表示倍率に応じて、前記画像を前記表示部に拡大表示する再生ズーム部と、前記画像から被写体の顔領域を検出する顔検出部と、前記顔検出部により特定の被写体の顔領域が検出された場合、前記再生ズーム部による拡大表示を禁止する制御部とを備える画像再生装置。【選択図】      図１
2010263519.tif 000002
【特許請求の範囲】
【請求項１】
画像を表示する表示部と、
前記表示部に表示された前記画像の拡大表示倍率の変更を指示する指示部と、
前記指示部により前記拡大表示倍率の変更が指示されると、変更された前記拡大表示倍率に応じて、前記画像を前記表示部に拡大表示する再生ズーム部と、
前記画像から被写体の顔領域を検出する顔検出部と、
前記顔検出部により特定の被写体の顔領域が検出された場合、前記再生ズーム部による拡大表示を禁止する制御部と
を備えることを特徴とする画像再生装置。
【請求項２】
請求項１に記載の画像再生装置において、
前記顔検出部により検出された前記顔領域に基づいて、前記被写体が女性であるか否かを判定する判定部をさらに備え、
前記制御部は、前記判定部により前記被写体が女性であると判定された場合に、拡大表示を禁止する
ことを特徴とする画像再生装置。
【請求項３】
請求項１に記載の画像再生装置において、
前記制御部は、前記拡大表示倍率が所定の値に到達すると、拡大表示を禁止する
ことを特徴とする画像再生装置。
【請求項４】
請求項３に記載の画像再生装置において、
前記顔検出部は、前記顔領域の大きさを検出し、
前記制御部は、前記顔領域の大きさに応じて、前記所定の値を変更する
ことを特徴とする画像再生装置。
【請求項５】
請求項１に記載の画像再生装置において、
前記顔検出部により検出された前記顔領域に美肌処理が施されているか否かを判定する判定部をさらに備え、
前記制御部は、前記判定部により美肌処理が施されていると判定された場合に、拡大表示を許可する
ことを特徴とする画像再生装置。
【請求項６】
請求項１に記載の画像再生装置において、
前記画像を記録する記録部をさらに備え、
前記制御部は、拡大表示を禁止した画像を前記記録部に記録する際に、拡大表示を禁止する情報を付帯する
ことを特徴とする画像再生装置。
【請求項７】
画像を表示する表示部と、
前記表示部に表示された前記画像の拡大表示倍率の変更を指示する指示部と、
前記画像から被写体の顔領域を検出する顔検出部と、
前記顔検出部により特定の被写体の顔領域が検出された場合、前記拡大表示倍率に応じて、前記顔領域に美肌処理を施す画像処理部と、
前記指示部により前記拡大表示倍率の変更が指示されると、変更された前記拡大表示倍率に応じて、美肌処理後の前記画像を前記表示部に拡大表示する再生ズーム部と
を備えることを特徴とする画像再生装置。
【請求項８】
請求項７に記載の画像再生装置において、
前記顔検出部により検出された前記顔領域に基づいて、前記被写体が女性であるか否かを判定する判定部をさらに備え、
前記画像処理部は、前記判定部により前記被写体が女性であると判定された場合に、前記顔領域に美肌処理を施す
ことを特徴とする画像再生装置。
【請求項９】
請求項７に記載の画像再生装置において、
前記画像処理部は、前記拡大表示倍率が大きいほど、前記美肌処理の度合いを強くする
ことを特徴とする画像再生装置。
【請求項１０】
請求項７に記載の画像再生装置において、
前記表示部は、前記拡大表示倍率の変更の解除を受け付けた場合に、前記美肌処理を施す前の前記画像を表示する
ことを特徴とする画像再生装置。
【請求項１１】
請求項７に記載の画像再生装置において、
前記画像処理部は、前記顔検出部により前記顔領域が検出されない画像に美肌処理を施さない
ことを特徴とする画像再生装置。
【請求項１２】
画像を受け付ける受付部と、
前記画像を表示する表示部と、
前記表示部に表示された前記画像の拡大表示倍率の変更を指示する指示部と、
前記指示部により前記拡大表示倍率の変更が指示されると、変更された前記拡大表示倍率に応じて、前記画像を前記表示部に拡大表示する再生ズーム部と、
前記画像に付帯された情報に基づいて、前記再生ズーム部による拡大表示を禁止する制御部と
を備えることを特徴とする画像再生装置。
【請求項１３】
請求項１２に記載の画像再生装置において、
前記画像に付帯された情報は、拡大表示を禁止する情報である
ことを特徴とする画像再生装置。
【請求項１４】
請求項１から請求項１３までのいずれか１項に記載の画像再生装置と、
前記画像を取得する撮像部と
を備えることを特徴とするデジタルカメラ。
【請求項１５】
被写体画像を表示する表示部と、
前記表示部に表示された前記被写体画像の拡大表示倍率の変更を指示する指示部と、
前記指示部により前記拡大表示倍率の変更が指示されると、変更された前記拡大表示倍率に応じて、前記被写体画像を前記表示部に拡大表示する再生ズーム部と、
前記被写体画像を鑑賞する鑑賞者を撮像し、鑑賞者画像を取得する第１撮像部と、
前記被写体画像及び前記鑑賞者画像から顔領域を検出する顔検出部と、
前記顔検出部により特定の被写体の顔領域が検出された場合、前記鑑賞者の顔領域に応じて、前記再生ズーム部による拡大表示を禁止する制御部と
を備えることを特徴とする画像再生装置。
【請求項１６】
被写体画像を表示する表示部と、
前記表示部に表示された前記被写体画像の拡大表示倍率の変更を指示する指示部と、
前記被写体画像を鑑賞する鑑賞者を撮像し、鑑賞者画像を取得する第１撮像部と、
前記被写体画像及び前記鑑賞者画像から顔領域を検出する顔検出部と、
前記鑑賞者の顔領域、及び前記拡大表示倍率に応じて、前記被写体画像の顔領域に美肌処理を施す画像処理部と、
前記指示部により前記拡大表示倍率の変更が指示されると、変更された前記拡大表示倍率に応じて、前記被写体画像を前記表示部に拡大表示する再生ズーム部と
を備えることを特徴とする画像再生装置。
【請求項１７】
請求項１５又は請求項１６に記載の画像再生装置と、
前記被写体画像を取得する第２撮像部と
を備えることを特徴とするデジタルカメラ。
【請求項１８】
画像を表示する表示工程と、
前記画像の拡大表示倍率の変更を指示する指示工程と、
前記指示工程により前記拡大表示倍率の変更が指示されると、変更された前記拡大表示倍率に応じて、前記画像を拡大表示する再生ズーム工程と、
前記画像から被写体の顔領域を検出する顔検出工程と、
前記顔検出工程により特定の被写体の顔領域が検出された場合、前記再生ズーム工程による拡大表示を禁止する制御工程と
を備えることを特徴とするプログラム。
【請求項１９】
画像を表示する表示工程と、
前記画像の拡大表示倍率の変更を指示する指示工程と、
前記画像から被写体の顔領域を検出する顔検出工程と、
前記顔検出工程により特定の被写体の顔領域が検出された場合、前記拡大表示倍率に応じて、前記顔領域に美肌処理を施す画像処理工程と、
前記指示工程により前記拡大表示倍率の変更が指示されると、変更された前記拡大表示倍率に応じて、美肌処理後の前記画像を拡大表示する再生ズーム工程と
を備えることを特徴とするプログラム。
【請求項２０】
画像を受け付ける受付工程と、
前記画像を表示する表示工程と、
前記画像の拡大表示倍率の変更を指示する指示工程と、
前記指示工程により前記拡大表示倍率の変更が指示されると、変更された前記拡大表示倍率に応じて、前記画像を拡大表示する再生ズーム工程と、
前記画像に付帯された情報に基づいて、前記再生ズーム工程による拡大表示を禁止する制御工程と
を備えることを特徴とするプログラム。
【請求項２１】
被写体画像を表示する表示工程と、
前記被写体画像の拡大表示倍率の変更を指示する指示工程と、
前記指示工程により前記拡大表示倍率の変更が指示されると、変更された前記拡大表示倍率に応じて、前記被写体画像を拡大表示する再生ズーム工程と、
前記被写体画像を鑑賞する鑑賞者を撮像し、鑑賞者画像を取得する撮像工程と、
前記被写体画像及び前記鑑賞者画像から顔領域を検出する顔検出工程と、
前記顔検出工程により特定の被写体の顔領域が検出された場合、前記鑑賞者の顔領域に応じて、前記再生ズーム工程による拡大表示を禁止する制御工程と
を備えることを特徴とするプログラム。
【請求項２２】
被写体画像を表示する表示工程と、
前記被写体画像の拡大表示倍率の変更を指示する指示工程と、
前記被写体画像を鑑賞する鑑賞者を撮像し、鑑賞者画像を取得する撮像工程と、
前記被写体画像及び前記鑑賞者画像から顔領域を検出する顔検出工程と、
前記鑑賞者の顔領域、及び前記拡大表示倍率に応じて、前記被写体画像の顔領域に美肌処理を施す画像処理工程と、
前記指示工程により前記拡大表示倍率の変更が指示されると、変更された前記拡大表示倍率に応じて、前記被写体画像を拡大表示する再生ズーム工程と
を備えることを特徴とするプログラム。
【発明の詳細な説明】
【技術分野】
【０００１】
本発明は、画像再生装置、デジタルカメラ及びプログラムに関する。
【背景技術】
【０００２】
従来から、撮影した画像に画像処理を施すことにより、被写体が美しく見える画像を生成するデジタルカメラが知られている。例えば、特許文献１のデジタルカメラは、画像における被写体の瞳を大きくする補正や、肌を滑らかにする補正を施す。
【先行技術文献】
【特許文献】
【０００３】
【特許文献１】特開２００５−１５９５６１号公報
【発明の概要】
【発明が解決しようとする課題】
【０００４】
一方、デジタルカメラの再生機能として、再生ズーム機能がある。しかしながら、この再生ズーム機能は場合によっては、女性に敬遠されるおそれがある。特に顔の領域を拡大して表示した際に、しわやしみなどが目立ちやすくなるためである。
【０００５】
そこで、本発明の画像再生装置、デジタルカメラ及びプログラムは、顔画像を好ましく再生することを目的とする。
【課題を解決するための手段】
【０００６】
本発明の第１の画像再生装置は、画像を表示する表示部と、前記表示部に表示された前記画像の拡大表示倍率の変更を指示する指示部と、前記指示部により前記拡大表示倍率の変更が指示されると、変更された前記拡大表示倍率に応じて、前記画像を前記表示部に拡大表示する再生ズーム部と、前記画像から被写体の顔領域を検出する顔検出部と、前記顔検出部により特定の被写体の顔領域が検出された場合、前記再生ズーム部による拡大表示を禁止する制御部とを備える。
【０００７】
なお、前記顔検出部により検出された前記顔領域に基づいて、前記被写体が女性であるか否かを判定する判定部をさらに備え、前記制御部は、前記判定部により前記被写体が女性であると判定された場合に、拡大表示を禁止しても良い。
【０００８】
また、前記制御部は、前記拡大表示倍率が所定の値に到達すると、拡大表示を禁止しても良い。
【０００９】
また、前記顔検出部は、前記顔領域の大きさを検出し、前記制御部は、前記顔領域の大きさに応じて、前記所定の値を変更しても良い。
【００１０】
また、前記顔検出部により検出された前記顔領域に美肌処理が施されているか否かを判定する判定部をさらに備え、前記制御部は、前記判定部により美肌処理が施されていると判定された場合に、拡大表示を許可しても良い。
【００１１】
また、前記画像を記録する記録部をさらに備え、前記制御部は、拡大表示を禁止した画像を前記記録部に記録する際に、拡大表示を禁止する情報を付帯しても良い。
【００１２】
本発明の第２の画像再生装置は、画像を表示する表示部と、前記表示部に表示された前記画像の拡大表示倍率の変更を指示する指示部と、前記画像から被写体の顔領域を検出する顔検出部と、前記顔検出部により特定の被写体の顔領域が検出された場合、前記拡大表示倍率に応じて、前記顔領域に美肌処理を施す画像処理部と、前記指示部により前記拡大表示倍率の変更が指示されると、変更された前記拡大表示倍率に応じて、美肌処理後の前記画像を前記表示部に拡大表示する再生ズーム部とを備える。
【００１３】
なお、前記顔検出部により検出された前記顔領域に基づいて、前記被写体が女性であるか否かを判定する判定部をさらに備え、前記画像処理部は、前記判定部により前記被写体が女性であると判定された場合に、前記顔領域に美肌処理を施しても良い。
【００１４】
また、前記画像処理部は、前記拡大表示倍率が大きいほど、前記美肌処理の度合いを強くしても良い。
【００１５】
また、前記表示部は、前記拡大表示倍率の変更の解除を受け付けた場合に、前記美肌処理を施す前の前記画像を表示しても良い。
【００１６】
また、前記画像処理部は、前記顔検出部により前記顔領域が検出されない画像に美肌処理を施さなくても良い。
【００１７】
本発明の第３の画像再生装置は、画像を受け付ける受付部と、前記画像を表示する表示部と、前記表示部に表示された前記画像の拡大表示倍率の変更を指示する指示部と、前記指示部により前記拡大表示倍率の変更が指示されると、変更された前記拡大表示倍率に応じて、前記画像を前記表示部に拡大表示する再生ズーム部と、前記画像に付帯された情報に基づいて、前記再生ズーム部による拡大表示を禁止する制御部とを備える。
【００１８】
なお、前記画像に付帯された情報は、拡大表示を禁止する情報であっても良い。
【００１９】
本発明の第１のデジタルカメラは、第１の画像再生装置から第３の画像再生装置までのいずれか１つの画像再生装置と、前記画像を取得する撮像部とを備える。
【００２０】
本発明の第４の画像再生装置は、被写体画像を表示する表示部と、前記表示部に表示された前記被写体画像の拡大表示倍率の変更を指示する指示部と、前記指示部により前記拡大表示倍率の変更が指示されると、変更された前記拡大表示倍率に応じて、前記被写体画像を前記表示部に拡大表示する再生ズーム部と、前記被写体画像を鑑賞する鑑賞者を撮像し、鑑賞者画像を取得する第１撮像部と、前記被写体画像及び前記鑑賞者画像から顔領域を検出する顔検出部と、前記顔検出部により特定の被写体の顔領域が検出された場合、前記鑑賞者の顔領域に応じて、前記再生ズーム部による拡大表示を禁止する制御部とを備える。
【００２１】
本発明の第５の画像再生装置は、被写体画像を表示する表示部と、前記表示部に表示された前記被写体画像の拡大表示倍率の変更を指示する指示部と、前記被写体画像を鑑賞する鑑賞者を撮像し、鑑賞者画像を取得する第１撮像部と、前記被写体画像及び前記鑑賞者画像から顔領域を検出する顔検出部と、前記鑑賞者の顔領域、及び前記拡大表示倍率に応じて、前記被写体画像の顔領域に美肌処理を施す画像処理部と、前記指示部により前記拡大表示倍率の変更が指示されると、変更された前記拡大表示倍率に応じて、前記被写体画像を前記表示部に拡大表示する再生ズーム部とを備える。
【００２２】
本発明の第２のデジタルカメラは、第４の画像再生装置又は第５の画像再生装置と、前記被写体画像を取得する第２撮像部とを備える。
【００２３】
本発明の第１のプログラムは、画像を表示する表示工程と、前記画像の拡大表示倍率の変更を指示する指示工程と、前記指示工程により前記拡大表示倍率の変更が指示されると、変更された前記拡大表示倍率に応じて、前記画像を拡大表示する再生ズーム工程と、前記画像から被写体の顔領域を検出する顔検出工程と、前記顔検出工程により特定の被写体の顔領域が検出された場合、前記再生ズーム工程による拡大表示を禁止する制御工程とを備える。
【００２４】
本発明の第２のプログラムは、画像を表示する表示工程と、前記画像の拡大表示倍率の変更を指示する指示工程と、前記画像から被写体の顔領域を検出する顔検出工程と、前記顔検出工程により特定の被写体の顔領域が検出された場合、前記拡大表示倍率に応じて、前記顔領域に美肌処理を施す画像処理工程と、前記指示工程により前記拡大表示倍率の変更が指示されると、変更された前記拡大表示倍率に応じて、美肌処理後の前記画像を拡大表示する再生ズーム工程とを備える。
【００２５】
本発明の第３のプログラムは、画像を受け付ける受付工程と、前記画像を表示する表示工程と、前記画像の拡大表示倍率の変更を指示する指示工程と、前記指示工程により前記拡大表示倍率の変更が指示されると、変更された前記拡大表示倍率に応じて、前記画像を拡大表示する再生ズーム工程と、前記画像に付帯された情報に基づいて、前記再生ズーム工程による拡大表示を禁止する制御工程とを備える。
【００２６】
本発明の第４のプログラムは、被写体画像を表示する表示工程と、前記被写体画像の拡大表示倍率の変更を指示する指示工程と、前記指示工程により前記拡大表示倍率の変更が指示されると、変更された前記拡大表示倍率に応じて、前記被写体画像を拡大表示する再生ズーム工程と、前記被写体画像を鑑賞する鑑賞者を撮像し、鑑賞者画像を取得する撮像工程と、前記被写体画像及び前記鑑賞者画像から顔領域を検出する顔検出工程と、前記顔検出工程により特定の被写体の顔領域が検出された場合、前記鑑賞者の顔領域に応じて、前記再生ズーム工程による拡大表示を禁止する制御工程とを備える。
【００２７】
本発明の第５のプログラムは、被写体画像を表示する表示工程と、前記被写体画像の拡大表示倍率の変更を指示する指示工程と、前記被写体画像を鑑賞する鑑賞者を撮像し、鑑賞者画像を取得する撮像工程と、前記被写体画像及び前記鑑賞者画像から顔領域を検出する顔検出工程と、前記鑑賞者の顔領域、及び前記拡大表示倍率に応じて、前記被写体画像の顔領域に美肌処理を施す画像処理工程と、前記指示工程により前記拡大表示倍率の変更が指示されると、変更された前記拡大表示倍率に応じて、前記被写体画像を拡大表示する再生ズーム工程とを備える。
【発明の効果】
【００２８】
本発明の画像再生装置、デジタルカメラ及びプログラムによれば、顔画像を好ましく再生することができる。
【図面の簡単な説明】
【００２９】
【図１】第１実施形態におけるデジタルカメラ１の構成を示すブロック図である。
【図２】第１実施形態のデジタルカメラ１における再生時の動作を示すフローチャートである。
【図３】第２実施形態のデジタルカメラ１における再生時の動作を示すフローチャートである。
【図４】第３実施形態におけるデジタルカメラ１０１の構成を示すブロック図である。
【図５】第３実施形態のデジタルカメラ１０１における撮像時の動作を示すフローチャートである。
【図６】第３実施形態のデジタルカメラ１０１における再生時の動作を示すフローチャートである。
【図７】第４実施形態におけるデジタルカメラ２０１の構成を示すブロック図である。
【図８】第４実施形態のデジタルカメラ２０１における再生時の動作を示すフローチャートである。
【発明を実施するための形態】
【００３０】
（第１実施形態）
以下、図面を用いて本発明の第１実施形態について説明する。なお、本実施形態では、本発明の画像再生装置の一例として、デジタルカメラを用いて説明する。図１は、本発明の第１実施形態におけるデジタルカメラ１の構成を示すブロック図である。
【００３１】
図１に示すように、デジタルカメラ１は、撮像レンズ２、撮像素子３、Ａ／Ｄ変換部４、バッファメモリ５、画像処理部６、制御部７、表示部８、操作部９、メモリ１０、記録Ｉ／Ｆ部１１、記録媒体１２、バス１３を備える。
【００３２】
撮像レンズ２は、撮像素子３の撮像面に被写体像を結像する。なお、撮像レンズ２は、ズームレンズやフォーカスレンズ等の複数のレンズからなる撮像光学系であっても良い。撮像素子３は、撮像レンズ２を通過した被写体光を光電変換し、Ｒ、Ｇ、Ｂの各色に対応するアナログ画像信号を出力する。
【００３３】
撮像素子３から出力される画像信号は、Ａ／Ｄ変換部４に入力される。Ａ／Ｄ変換部４は、撮像素子３から出力されるアナログの画像信号をＡ／Ｄ変換し、デジタルの画像信号に変更する。なお、このデジタルの画像信号は、１コマにまとめられ、画像データとしてバッファメモリ５に記録される。バッファメモリ５は、画像処理部６による画像処理の前工程や後工程で画像データを一時的に記録する。
【００３４】
画像処理部６は、バッファメモリ５に記録された画像データに対して画像処理を施す。なお、この画像処理としては、周知のホワイトバランス調整、色補間、階調変換処理、輪郭強調処理等が挙げられる。また、画像処理部６は、ＪＰＥＧ（Joint Photographic Experts Group）形式等で圧縮する処理や、圧縮された上記のデータを伸長復元する処理をも実行する。さらに、画像処理部６は、再生時に、画像の一部領域を拡大する。
【００３５】
また、画像処理部６は、美肌処理を行う。この美肌処理は、撮像により生成した画像や、記録媒体１２に記録された画像に対して施される画像処理であり、以下に示す処理が挙げられる。
【００３６】
画像処理部６は、例えば、画像の露出をオーバー側に補正する露出補正を行う。これにより、被写体の肌が白く表現された好ましい画像を得ることができる。
【００３７】
また、画像処理部６は、ソフトフォーカス処理を行う。これにより、被写体が女性である場合、女性らしさが強調されるとともに、柔らかみのある好ましい画像を得ることができる。また、被写体のしわや肌荒れ等が目立ちにくい好ましい画像を得ることができる。
【００３８】
また、画像処理部６は、彩度や明度のパラメータを補正することにより、肌を白く表現したり、肌色のくすみ等を軽減しても良い。
【００３９】
また、画像処理部６は、画像に含まれる人物を痩身に見せる補正を行う。例えば、画像処理部６は、画像の縦横比を若干縦長に変更した後、人物の部分を切り出し、画像の大きさを調整する。或いは画像処理部６は、特開２００４−２６４８９３号公報のように、顔の輪郭を補正して頬を細く見せるようにしても良い。
【００４０】
また、画像処理部６は、顔における特徴部位（眉、目、口等）の調整を行う。例えば、画像処理部６は、目の部分を大きくする補正や鼻の幅を狭くする補正などを行う。また、画像処理部６は、特徴部位の色を補正する。例えば、画像処理部６は上瞼の色に青味を増す色補正や、頬の色に赤味を増す色補正を行う。これにより、アイシャドーや頬紅のようなポイントメイクアップの効果が得られるため、被写体となる女性の見栄えを良くすることができる。また、画像処理部６は、唇の色に赤味を増す色補正を行う。これにより、被写体の顔色を良く見せることができる。
【００４１】
また、画像処理部６は、ハイライトを抑える処理を行うことにより、閃光発光などの強い光に起因して発生しやすいテカリを軽減しても良い。また、部分的にテカリを強調することにより、肌を瑞々しく見せる補正を行っても良い。
【００４２】
また、画像処理部６は、上述した処理の他に、ダイナミックレンジ拡張、暗部補正、エッジのアンシャープネスマスク処理、ノイズ処理などの処理を行っても良い。
【００４３】
美肌処理の度合い（レベル）としては、強、中、弱の３段階がある。美肌処理のレベルが上がるほど、被写体の肌が白く表現され、くすみやしわが目立たなくなる。
【００４４】
制御部７は、所定のシーケンスプログラムにしたがって、デジタルカメラ１の統括的な制御を行うとともに、撮像時に必要となる各種演算（ＡＦ、ＡＥ等）を実行する。また、制御部７は、顔検出部１５、推定部１６等の機能を有している。顔検出部１５は、撮像により生成した画像や記録媒体１２に記録した画像から、特徴点を抽出して顔の領域、顔の大きさ等を検出する。この顔の領域の検出方法は、特開２００１−１６５７３号公報等に記載された特徴点抽出処理が挙げられる。上記の特徴点としては、例えば、眉、目、鼻、唇の各端点、顔の輪郭点、頭頂点や顎の下端点等が挙げられる。そして、顔検出部１５は、画像に含まれる顔の領域の位置を示す情報を取得する。推定部１６は、特開２００４−２２２１１８号公報等に記載された演算処理によって、被写体の性別を推定する。
【００４５】
表示部８は、制御部７の制御により各種の画像を表示する。表示部８に表示される各種の画像は、撮像により生成した画像、記録媒体１２に記録された画像、拡大された画像、メニュー画像等を含む。操作部９は、レリーズ釦１７、十字キー１８等を有する。レリーズ釦１７は、撮像時にユーザにより操作される。十字キー１８は、上記のメニュー画像等で操作される。また、十字キー１８は、表示部８に画像を表示した際に、拡大倍率を示す数値の入力を受け付ける。なお、レリーズ釦１７及び十字キー１８の状態は制御部７により検知され、検知された釦やキーの状態に基づいたシーケンスが実行される。
【００４６】
記録Ｉ／Ｆ部１１は、記録媒体１２を接続するためのコネクタを備えている。この記録Ｉ／Ｆ部１１と記録媒体１２とが接続されることにより、記録媒体１２に対してデータの書き込み／読み出しを実行する。バス１３は、バッファメモリ５、画像処理部６、制御部７、表示部８、記録Ｉ／Ｆ部１１を相互に接続することにより、データや信号の出入力を実行する。
【００４７】
以上説明した構成のデジタルカメラ１は、撮像により取得した画像に美肌処理を施す美肌処理モードを有する。美肌処理モードは、ポートレートモードや風景モードなどの既存のシーンモードと独立に備えられても良いし、既存のシーンモードと独立に備えられても良い。また、美肌処理モードは、十字キー１８を介したユーザの指定により設定可能としても良いし、制御部７により自動で設定可能としても良い。ユーザの指定に際しては、操作部９に専用の釦などを設けても良いし、表示部８にメニュー画像などを表示しても良い。
【００４８】
なお、制御部７は、美肌処理モードにより取得した画像を記録媒体１２に記録する場合、画像の付帯情報（Ｅｘｉｆ情報など）に、美肌処理の内容を示す情報を記録する。そのため、制御部７は、付帯情報を参照することにより、どのような美肌処理が施されたのかを認識することができる。
【００４９】
図２は、第１実施形態のデジタルカメラ１における再生時の動作を示すフローチャートである。なお、以下の実施形態では、制御部７は、ユーザから十字キー１８を介して、予め再生の対象となる画像の指定を受け付けていることを前提とする。また、便宜上、１人の人物が撮像された画像を例に挙げて説明する。
【００５０】
ステップＳ１０１は、表示部８に画像を表示する処理である。
【００５１】
ステップＳ１０２は、顔の領域を検出したか否かを判定する処理である。顔検出部１５は、画像から顔の領域を検出する。顔の領域を検出した場合（ステップＳ１０２の判定がＹＥＳとなる場合）には、ステップＳ１０３に進む。一方、顔の領域を検出しない場合（ステップＳ１０２の判定がＮＯとなる場合）には、後述するステップＳ１０５に進む。
【００５２】
ステップＳ１０３は、画像中の人物が女性であるか否かを判定する処理である。推定部１６は、ステップＳ１０２で検出された顔の領域に基づいて、画像中の人物が女性であるか否かを推定する。女性である場合（ステップＳ１０３の判定がＹＥＳとなる場合）には、ステップＳ１０４に進む。一方、女性でない場合（ステップＳ１０３の判定がＮＯとなる場合）には、後述するステップＳ１０５に進む。
【００５３】
ステップＳ１０４は、顔の領域に美肌処理が施されているか否かを判定する処理である。制御部７は、画像の付帯情報に基づいて、顔の領域に美肌処理が施されているか否かを判定する。美肌処理が施されている場合（ステップＳ１０４の判定がＹＥＳとなる場合）には、ステップＳ１０５に進む。一方、美肌処理が施されていない場合（ステップＳ１０４の判定がＮＯとなる場合）には、後述するステップＳ１１０に進む。
【００５４】
ステップＳ１０５は、拡大倍率の指定を受け付けたか否かを判定する処理である。例えば、制御部７は、ユーザから十字キー１８を介して、拡大倍率を示す数値を受け付ける。拡大倍率の指定を受け付けた場合（ステップＳ１０５の判定がＹＥＳとなる場合）には、ステップＳ１０６に進む。一方、拡大倍率の指定を受け付けていない場合（ステップＳ１０５の判定がＮＯとなる場合）には、後述するステップＳ１０９に進む。
【００５５】
ステップＳ１０６は、拡大倍率が最大倍率に到達したか否かを判定する処理である。拡大倍率が最大倍率に到達した場合（ステップＳ１０６の判定がＹＥＳとなる場合）には、後述するステップＳ１０８に進む。一方、拡大倍率が最大倍率に到達していない場合（ステップＳ１０６の判定がＮＯとなる場合）には、ステップＳ１０７に進む。
【００５６】
ステップＳ１０７は、画像を拡大する処理である。画像処理部６は、ステップＳ１０５で受け付けた拡大倍率に基づいて、画像を拡大する。そして、画像処理部６は、拡大した画像の中央部分から、元の画像と同じ大きさの領域を切り出す。
【００５７】
ステップＳ１０８は、拡大した画像を表示する処理である。表示部８は、ステップＳ１０７で拡大し、切り出された画像を表示する。
【００５８】
ステップＳ１０９は、画像の表示を終了する指示を受け付けたか否かを判定する処理である。表示を終了する指示を受け付けた場合（ステップＳ１０９の判定がＹＥＳとなる場合）には、一連の処理を終了する。一方、表示を終了する指示を受け付けていない場合（ステップＳ１０９の判定がＮＯとなる場合）には、ステップＳ１０５に戻り、拡大倍率の指定を受け付けたか否かを判定する。
【００５９】
ステップＳ１０４で顔の領域に美肌処理が施されていないと判定された場合にはステップＳ１１０で、拡大倍率の指定を禁止する。例えば、制御部７は、十字キー１８を介した拡大倍率の指定を受け付けない。なお、表示部８は、「これ以上ズームできません。」等のメッセージを表示しても良い。すなわち、デジタルカメラ１は、美肌処理が施されていない女性の顔の領域を含む画像の拡大表示を禁止する。これにより、美肌処理が施されていない女性の顔の領域を含む画像を拡大表示すると、しみやしわなどが目立ちやすくなるため、女性に敬遠されることがあるが、そのおそれがなくなる。一方、美肌処理が施された女性の顔の領域は、拡大表示しても、しみやしわが目立ちににくいため、拡大表示を許可する。
【００６０】
ステップＳ１１１は、画像の表示を終了する指示を受け付けたか否かを判定する処理である。表示を終了する指示を受け付けた場合（ステップＳ１１１の判定がＹＥＳとなる場合）には、一連の処理を終了する。一方、表示を終了する指示を受け付けていない場合（ステップＳ１１１の判定がＮＯとなる場合）には、表示を終了する指示を受け付けるまで待機する。
【００６１】
以上説明したように、第１実施形態のデジタルカメラ１は、美肌処理が施されていない女性の顔の領域を含む画像の拡大表示を禁止する。したがって、第１実施形態のデジタルカメラ１によれば、顔画像を好ましく表示することができる。
【００６２】
なお、制御部７は、拡大表示を禁止された画像の付帯情報に、拡大表示を禁止する情報を付帯しても良い。これにより、他のデジタルカメラ１やインターネット上のサーバなどに、画像が転送された場合などにも、他者に拡大表示されるおそれがなくなる。なお、この禁止を解除するパスワードを設定しても良い。また、パスワードは、複数の画像に対して一括して設定しても良いし、画像毎に設定しても良い。
【００６３】
（第２実施形態）
以下、本発明の第２実施形態について説明する。第１実施形態では、美肌処理が施されていない女性の顔の領域を含む画像の拡大表示を禁止する例を示した。第２実施形態では、美肌処理が施されていない女性の顔の領域を含む画像に対して拡大表示が指示された場合に、美肌処理を施す。そして、美肌処理後の画像を拡大表示する例を示す。ここで、第２実施形態におけるデジタルカメラの構成は、図１に示す第１実施形態のデジタルカメラ１と共通するので重複説明は省略する。
【００６４】
図３は、第２実施形態のデジタルカメラ１における再生時の動作を示すフローチャートである。
【００６５】
ステップＳ２０１からステップＳ２０９までは、図２のステップＳ１０１からステップＳ１０９までと同様の処理である。
【００６６】
ステップＳ２１０からステップＳ２１１までは、図２のステップＳ１０５からステップＳ１０６までと同様の処理である。
【００６７】
ステップＳ２１２は、拡大倍率に応じて、美肌処理のレベルを設定する処理である。拡大倍率が大きければ、顔の領域を拡大表示したときに、しみやしわが目立ちやすい。そのため、制御部７は、ステップＳ２１０で受け付けた拡大倍率が大きいほど、美肌処理のレベルを強く設定する。例えば、制御部７は、拡大倍率が２倍である場合、美肌処理のレベルを「中」に設定する。また、制御部７は、拡大倍率が５倍である場合、美肌処理のレベルを「強」に設定する。なお、制御部７は、拡大倍率だけでなく、被写体の年齢や肌の状態を加味して、美肌処理のレベルを設定しても良い。例えば、制御部７は、被写体の年齢が高く、肌の状態が悪いほど、美肌処理のレベルを強く設定する。
【００６８】
ステップＳ２１３は、美肌処理を施す処理である。画像処理部６は、ステップＳ２１０で設定された美肌処理のレベルに応じて、画像中の顔の領域に美肌処理を施す。これにより、顔の領域を拡大表示しても、美しい画像を取得することができる。
【００６９】
ステップＳ２１４からステップＳ２１６までは、図２のステップＳ１０７からステップＳ１０９までと同様の処理である。これにより、表示部８に拡大表示される女性の顔の領域は、常に美肌処理が施された状態となる。なお、ステップＳ２１６で、画像の表示を終了する指示を受け付けた場合（ステップＳ２１６の判定がＹＥＳとなる場合）には、ステップＳ２１５で表示された画像を削除する。
【００７０】
以上説明したように、第２実施形態のデジタルカメラ１は、美肌処理が施されていない女性の顔の領域を含む画像に対して拡大表示が指示された場合に、美肌処理を施す。そして、美肌処理後の画像を拡大表示する。したがって、第２実施形態のデジタルカメラ１によれば、顔画像を好ましく表示することができる。
【００７１】
なお、上述した美肌処理は、複合的な処理であり、時間がかかる。そのため、全ての画像に美肌処理を施すと、レリーズタイムラグなどが発生するおそれがある。しかし、第２実施形態のデジタルカメラ１は、美肌処理が施されていない女性の顔の領域を含む画像にのみ美肌処理を施すため、レリーズタイムラグなどが発生するおそれを減らすことができる。
【００７２】
また、第２実施形態では、ステップＳ２１３で美肌処理を施してから、ステップＳ２１４で画像を拡大する例を示したが、これに限らない。例えば、ステップＳ２１３とステップＳ２１４との順番を入れ替えても良い。
【００７３】
また、２回目以降のステップＳ２１０で、拡大倍率を１に戻す指示を受け付けた場合、すなわち拡大指示が解除された場合には、美肌処理前の画像を表示しても良いし、美肌処理後の画像を表示しても良い。また、拡大指示が解除された場合に、美肌処理後の画像を表示するか否かを選択可能にしても良い。さらに、美肌処理後の画像を記録するか否かの選択を受け付けても良い。そして、美肌処理後の画像を記録する指示を受け付けた場合に、美肌処理後の画像を、美肌処理前の画像に関連付けて記録しても良い。
【００７４】
また、第２実施形態では、美肌処理が施されていない女性の顔の領域を含む画像に対して拡大表示が指示された場合に、美肌処理を施す例を示したが、これに限らない。例えば、もともと画素数の少ない画像は、顔の領域を拡大表示しても、しみやしわが目立ちにくい。そのため、美肌処理が施されていない女性の顔の領域を含む画像に対して拡大表示が指示された場合に、画素を間引く。そして、間引き後の画像に補間処理を行い、拡大表示しても良い。
【００７５】
（第３実施形態）
以下、本発明の第３実施形態について説明する。第１実施形態では、再生時に、拡大表示を禁止するか否かを判定する例を示した。第３実施形態では、撮像により取得した画像を記録媒体に記録する際に、拡大表示を禁止するか否かを判定する例を示す。
【００７６】
図４は、第３実施形態におけるデジタルカメラ１０１の構成を示すブロック図である。図４に示すように、デジタルカメラ１０１は、撮像レンズ２、撮像素子３、Ａ／Ｄ変換部４、バッファメモリ５、画像処理部６、制御部７、表示部８、操作部９、メモリ１０、記録Ｉ／Ｆ部１１、記録媒体１２、バス１３、通信部１４を備える。撮像レンズ２からバス１３までは、図１に示す第１実施形態のデジタルカメラ１と同じである。通信部１４は、無線又は有線で、サーバ２１やコンピュータなどの外部機器３１と通信する。
【００７７】
図５は、第３実施形態のデジタルカメラ１０１における撮像時の動作を示すフローチャートである。
【００７８】
ステップＳ３０１は、レリーズ釦１７が全押しされたか否かを判定する処理である。レリーズ釦１７が全押しされた場合（ステップＳ３０１の判定がＹＥＳとなる場合）には、ステップＳ３０２に進む。一方、レリーズ釦１７が全押しされない場合（ステップＳ３０１の判定がＮＯとなる場合）には、レリーズ釦１７が全押しされるまで待機する。
【００７９】
ステップＳ３０２は、画像を取得する処理である。撮像素子３は、画像を取得する。そして、画像処理部６は、美肌処理モードが設定されている場合には、画像に美肌処理を含む各種の画像処理を施す。一方、画像処理部６は、美肌処理モードが設定されていない場合には、画像に美肌処理を施すことなく、各種の画像処理を施す。
【００８０】
ステップＳ３０３は、画像を記録するか否かを判定する処理である。制御部７は、十字キー１８を介して、ステップＳ３０２で取得した画像を記録するか否かの選択を受け付ける。画像を記録する選択を受け付けた場合（ステップＳ３０３の判定がＹＥＳとなる場合）には、ステップＳ３０４に進む。一方、画像を記録する選択を受け付けない場合（ステップＳ３０３の判定がＮＯとなる場合）には、図５の処理を終了する。
【００８１】
ステップＳ３０４からステップＳ３０６までは、図２のステップＳ１０２からステップＳ１０４までと同様の処理である。
【００８２】
ステップＳ３０７は、画像を記録する処理である。制御部７は、ステップＳ３０２で取得した画像を記録媒体１２に記録する。
【００８３】
ステップＳ３０８は、拡大表示を禁止する付帯情報と画像とを記録する処理である。制御部７は、ステップＳ３０２で取得した画像を記録媒体１２に記録する。すなわち、第３実施形態のデジタルカメラ１０１は、美肌処理が施されていない女性の顔の領域を含む画像に、拡大表示を禁止する情報を付帯する。これにより、通信部１４を介して、サーバ２１や外部機器３１などに画像が転送された場合などにも、他者に拡大表示されるおそれがなくなる。なお、この禁止を解除するパスワードを設定しても良い。また、パスワードは、複数の画像に対して一括して設定しても良いし、画像毎に設定しても良い。
【００８４】
図６は、第３実施形態のデジタルカメラ１０１における再生時の動作を示すフローチャートである。以下、再生の対象となる画像は、通信部１４を介して取得した画像である例を示す。
【００８５】
ステップＳ３１１は、表示部８に画像を表示する処理である。
【００８６】
ステップＳ３１２は、拡大表示を禁止する情報が付帯されているか否かを判定する処理である。制御部７は、画像の付帯情報を参照して、拡大表示を禁止する情報が付帯されているか否かを判定する。拡大表示を禁止する情報が付帯されている場合（ステップＳ３１２の判定がＹＥＳとなる場合）には、ステップＳ３１３に進む。一方、拡大表示を禁止する情報が付帯されていない場合（ステップＳ３１２の判定がＮＯとなる場合）には、後述するステップＳ３１８に進む。
【００８７】
ステップＳ３１３からステップＳ３１９までは、図２のステップＳ１０５からステップＳ１１１までと同様の処理である。
【００８８】
以上説明したように、第３実施形態のデジタルカメラ１０１は、撮像により取得した画像を記録媒体に記録する際に、拡大表示を禁止するか否か、すなわち美肌処理が施されていない女性の顔の領域を含む画像であるか否かを判定する。そして、美肌処理が施されていない女性の顔の領域を含む画像である場合に、拡大表示を禁止する付帯情報を記録する。また、デジタルカメラ１０１は、拡大表示を禁止する情報が付帯された画像の拡大表示を禁止する。そのため、画像が転送された場合、転送先のデジタルカメラ１０１で拡大表示されるおそれがなくなる。したがって、第３実施形態のデジタルカメラ１０１によれば、顔画像を好ましく表示することができる。
【００８９】
なお、第３実施形態では、拡大表示を禁止する情報が付帯された画像に対して、拡大表示を一律禁止する例を示したが、これに限らない。例えば、拡大表示の禁止が解除されている場合は、拡大表示を許可しても良い。
【００９０】
（第４実施形態）
以下、本発明の第４実施形態について説明する。第１実施形態では、美肌処理が施されていない女性の顔の領域を含む画像の拡大表示を一律禁止する例を示した。第４実施形態では、画像を鑑賞する鑑賞者に応じて、美肌処理が施されていない女性の顔の領域を含む画像の拡大表示を禁止する例を示す。
【００９１】
図７は、第４実施形態におけるデジタルカメラ２０１の構成を示すブロック図である。図７に示すように、デジタルカメラ２０１は、撮像レンズ２、撮像素子３、Ａ／Ｄ変換部４、バッファメモリ５、画像処理部６、制御部７、表示部８、操作部９、メモリ１０、記録Ｉ／Ｆ部１１、記録媒体１２、バス１３、撮像レンズ２２、撮像素子２３、Ａ／Ｄ変換部２４、バッファメモリ２５を備える。なお、撮像レンズ２２は、デジタルカメラ２０１の背面部に配置される。デジタルカメラ２０１は、撮像レンズ２を介して、被写体の画像（以下、被写体画像と称する）を取得し、撮像レンズ２２を介して、被写体画像を鑑賞する鑑賞者の画像（以下、鑑賞者画像と称する）を取得する。
【００９２】
撮像レンズ２からバス１３までは、図１に示す第１実施形態のデジタルカメラ１と同じである。なお、推定部１６は、顔検出部１５により検出された顔の特徴点に基づいて、顔認識データを生成し、メモリ１０に顔認識データを記憶する。例えば、推定部１６は、目、鼻、口などの特徴点の位置、各特徴点の相対距離を演算し、顔認識データを生成する。以下、メモリ１０に顔認識データを記憶している人物を登録人物と称する。
【００９３】
撮像レンズ２２は、撮像素子２３の撮像面に鑑賞者の像を結像する。撮像素子２３は、撮像レンズ２２を通過した被写体光を光電変換し、Ｒ、Ｇ、Ｂの各色に対応するアナログ画像信号を出力する。撮像素子２３から出力される画像信号は、Ａ／Ｄ変換部２４に入力される。Ａ／Ｄ変換部２４は、撮像素子２３から出力されるアナログの画像信号をＡ／Ｄ変換し、デジタルの画像信号に変更する。なお、このデジタルの画像信号は、１コマにまとめられ、画像データとしてバッファメモリ２５に記録される。バッファメモリ２５は、画像処理部６による画像処理の前工程や後工程で画像データを一時的に記録する。
【００９４】
なお、デジタルカメラ２０１は、「鑑賞者が誰であろうと拡大表示を禁止するモード」と、「被写体画像中の人物と鑑賞者との関係に応じて拡大表示を禁止するモード」とを有する。なお、モードの設定は、十字キー１８を介したユーザの指定により設定可能としても良いし、制御部７により自動で設定可能としても良い。以下、「被写体画像中の人物と鑑賞者との関係に応じて拡大表示を禁止するモード」が設定された例を説明する。
【００９５】
図８は、第４実施形態のデジタルカメラ２０１における再生時の動作を示すフローチャートである。以下、再生の対象となる画像は、被写体画像である。
【００９６】
ステップＳ４０１からステップＳ４０９までは、図２のステップＳ１０１からステップＳ１０９までと同様の処理である。
【００９７】
ステップＳ４１０は、鑑賞者画像を取得する処理である。撮像素子２３は、鑑賞者画像を取得する。
【００９８】
ステップＳ４１１は、鑑賞者の顔の領域を検出する処理である。顔検出部１５は、ステップＳ４１０で取得された鑑賞者画像から顔の領域を検出する。
【００９９】
ステップＳ４１２は、拡大倍率の指定を受け付けたか否かを判定する処理である。拡大倍率の指定を受け付けた場合（ステップＳ４１２の判定がＹＥＳとなる場合）には、ステップＳ４１３に進む。一方、拡大倍率の指定を受け付けていない場合（ステップＳ４１２の判定がＮＯとなる場合）には、後述するステップＳ４１８に進む。
【０１００】
ステップＳ４１３は、拡大倍率が最大倍率に到達したか否かを判定する処理である。拡大倍率が最大倍率に到達した場合（ステップＳ４１３の判定がＹＥＳとなる場合）には、後述するステップＳ４１７に進む。一方、拡大倍率が最大倍率に到達していない場合（ステップＳ４１３の判定がＮＯとなる場合）には、ステップＳ４１４に進む。
【０１０１】
ステップＳ４１４は、鑑賞者と被写体画像中の人物とが同一人物であるか否かを判定する処理である。推定部１６は、被写体画像から検出された顔の領域における目、鼻、口などの特徴点の位置、各特徴点の相対距離を演算する。また、推定部１６は、鑑賞者画像から検出された顔の領域における目、鼻、口などの特徴点の位置、各特徴点の相対距離を演算する。そして、推定部１６は、演算結果を比較して、顔の相似度を求め、相似度が閾値を上回る場合に、同一人物であると推定する。被写体画像中の人物と鑑賞者とが同一人物である場合（ステップＳ４１４の判定がＹＥＳとなる場合）には、後述するステップＳ４１６に進む。一方、同一人物でない場合（ステップＳ４１４の判定がＮＯとなる場合）には、ステップＳ４１５に進む。
【０１０２】
ステップＳ４１５は、鑑賞者と登録人物とが同一人物であるか否かを判定する処理である。推定部１６は、ステップＳ４１４で鑑賞者画像から検出された演算結果と、メモリ１０に記憶された顔認識データとを比較して、顔の相似度を求める。そして、推定部１６は、顔の相似度が閾値を上回る場合に、同一人物であると判定する。鑑賞者と登録人物とが同一人物である場合（ステップＳ４１５の判定がＹＥＳとなる場合）には、後述するステップＳ４１６に進む。一方、同一人物でない場合（ステップＳ４１５の判定がＮＯとなる場合）には、後述するステップＳ４１９に進む。
【０１０３】
ステップＳ４１６からステップＳ４２０までは、図２のステップＳ１０７からステップＳ１１１までと同様の処理である。すなわち、デジタルカメラ２０１は、鑑賞者と被写体画像中の人物とが同一人物でなく、鑑賞者が登録人物でない場合、被写体画像の拡大表示を禁止する。これにより、不特定の人物に被写体画像を拡大表示されるおそれがなくなる。
【０１０４】
以上説明したように、第４実施形態のデジタルカメラ２０１は、鑑賞者に応じて、美肌処理が施されていない女性の顔の領域を含む被写体画像の拡大表示を禁止する。したがって、第４実施形態のデジタルカメラ２０１によれば、顔画像を好ましく表示することができる。
【０１０５】
なお、第４実施形態では、ステップＳ４１５で鑑賞者と登録人物とが同一人物でないと判定された場合に、被写体画像の拡大表示を禁止する例を示したが、これに限らない。例えば、ステップＳ４１５の処理を行わず、ステップＳ４１４で鑑賞者と被写体画像中の人物とが同一人物でないと判定された場合に、被写体画像の拡大表示を禁止する。
【０１０６】
また、第４実施形態では、鑑賞者に応じて、美肌処理が施されていない女性の顔の領域を含む被写体画像の拡大表示を禁止する例を示したが、これに限らない。例えば、鑑賞者に応じて、第２実施形態のように、美肌処理が施されていない女性の顔の領域を含む被写体画像に美肌処理を施しても良い。この場合、ステップＳ４１５で鑑賞者と登録人物とが同一人物でないと判定された場合に、被写体画像中の顔の領域に美肌処理を施し、ステップＳ４２０に進む。
【０１０７】
（実施形態の補足）
第１実施形態では、美肌処理が施されていない女性の顔の領域を含む画像に対して拡大表示を一律禁止する例を示したが、これに限らない。例えば、拡大倍率の上限を設定し、上限に到達するまでは、美肌処理が施されていない女性の顔の領域を含む画像を拡大表示する。これにより、例えば、被写体の目つぶりや表情などを確認することができる。また、この場合、女性の顔の領域の大きさに応じて、拡大倍率の上限を変更しても良い。画像に占める顔の領域の割合が小さければ、顔の領域を拡大表示しても、しみやしわが目立たないためである。例えば、画像に占める女性の顔の領域の割合が１０％以下である場合には、拡大倍率が２倍以下であるか否かを判定する。なお、第３実施形態、第４実施形態についても同様とする。
【０１０８】
また、第２実施形態では、美肌処理が施されていない女性の顔の領域を含む画像に対して拡大表示が指示された場合に、美肌処理を施し、美肌処理後の画像を一律拡大表示する例を示したが、これに限らない。例えば、美肌処理の度合いに応じて、拡大倍率の上限を設定しても良い。
【０１０９】
また、第１実施形態では画像の中心を基点として拡大表示する例を示したが、これに限らない。例えば、画像に顔の領域が含まれる場合に、自動的に顔の領域を中心に拡大表示する。また、拡大する部分の中心を指定するポインタなどを画像に重ねて表示しても良い。なお、このポインタは、十字キー１８を介したユーザ操作により、上下左右に移動可能とする。さらに、ポインタで指定された部分が、美肌処理が施されていない女性の顔の領域以外の領域であれば、拡大表示を許可しても良い。なお、この場合、女性の顔の領域が拡大表示されないようにする。例えば、ポインタが顔の領域に移動できないようにしても良いし、ポインタが顔の領域まで移動した場合は、元の画像や、拡大倍率の上限に到達するまで拡大した画像を表示しても良い。なお、第２実施形態から第４実施形態までについても同様とする。
【０１１０】
第１実施形態から第４実施形態では、画像を拡大し、拡大した画像から、元の画像と同じ大きさの領域を切り出す例を示したが、これに限らない。例えば、まず、拡大倍率に応じて、画像から一部の領域を切り出す。そして、切り出した領域を元の画像の大きさまで拡大しても良い。
【０１１１】
また、第１実施形態から第４実施形態のうち、少なくとも２つの実施形態を組み合わせても良い。
【０１１２】
第１実施形態から第４実施形態では、デジタルカメラ１、デジタルカメラ１０１、デジタルカメラ２０１を例に挙げて説明したが、これに限らない。例えば、図１、図４、図７に示した以外の構成を有するデジタルカメラにも本発明を同様に適用することができる。また、デジタルカメラにより取得した画像を再生可能なフォトフレームなどの再生装置にも本発明を適用することができる。
【０１１３】
また、画像処理部６又は制御部７が行った処理の一部又は全部を、コンピュータで実現する構成としても良い。この場合、コンピュータに画像処理部６又は制御部７が行った処理（図２、３、５、６、８）の一部又は全部を実行するためのプログラムを記憶しておき、このプログラムにより、同様の処理を行うことで、上記の実施形態と同様の効果を得ることができる。
【符号の説明】
【０１１４】
１…デジタルカメラ、３…撮像素子、６…画像処理部、７…制御部、８…画像処理部、１５…顔検出部、１６…推定部、１８…十字キー、１０１…デジタルカメラ、１４…通信部、２０１…デジタルカメラ、２３…撮像素子
【図１】
2010263519.tif 000003
【図２】
2010263519.tif 000004
【図３】
2010263519.tif 000005
【図４】
2010263519.tif 000006
【図５】
2010263519.tif 000007
【図６】
2010263519.tif 000008
【図７】
2010263519.tif 000009
【図８】
2010263519.tif 000010